(57)【要約】【課題】建物内の特定空間で人が活動しているシーンにおいて、自動制御が原因で空気質および温度が建物内の人にとって不快になるのを防止し、かつ、空調を行うためのサポートを建物内の人が受ける。【解決手段】空調管理装置１は、空調調整手段２を監視して建物内の空調を管理する装置である。空調管理装置１において、記憶部１４は、空調調整手段２を動作させるための制御内容として、建物内の特定空間で人が活動していない第１のシーンに対応する第１の制御内容と、特定空間で人が活動している第２のシーンに対応する第２の制御内容とを記憶する。選択部１５５は、第１のシーンと第２のシーンとを択一的に選択する。実行部１５６は、第１のシーンが選択された場合、第１の制御内容に従って空調調整手段２を動作させる動作モードを実行し、第２のシーンが選択された場合、第２の制御内容を表示装置３のような通知部に通知させる通知モードを実行する。【選択図】図１
2014199153.tif 000002
【特許請求の範囲】
【請求項１】
建物に設けられた空調調整手段を監視して前記建物内の空調を管理する空調管理装置であって、
前記空調調整手段を動作させるための制御内容として、前記建物内の予め決められた特定空間で人が活動していない第１のシーンに対応する第１の制御内容、および、前記特定空間で人が活動している第２のシーンに対応する第２の制御内容を記憶する記憶部と、
前記第１のシーンと前記第２のシーンとを択一的に選択する選択部と、
前記選択部で前記第１のシーンが選択された場合に前記記憶部に記憶されている前記第１の制御内容に従って前記空調調整手段を動作させる動作モードを実行し、前記選択部で前記第２のシーンが選択された場合に前記記憶部に記憶されている前記第２の制御内容を通知部に通知させる通知モードを実行する実行部と
を備えることを特徴とする空調管理装置。
【請求項２】
前記選択部は、前記第１のシーンとして、前記建物内に人が不在である不在シーン、または、前記建物内で人が睡眠している睡眠シーンを選択することを特徴とする請求項１記載の空調管理装置。
【請求項３】
前記空調調整手段は、前記建物に設けられた窓を制御する窓開閉装置と、前記建物内の所定空間の空調を行う空調機器とを含み、
前記記憶部は、前記第２の制御内容として、前記窓の開閉と前記空調機器のオンオフとについての制御内容を記憶する
ことを特徴とする請求項１または２記載の空調管理装置。
【請求項４】
前記空調調整手段は、前記建物に設けられた天窓を制御する天窓開閉装置と、前記建物に設けられたガラリと、前記建物外から前記建物内へ外気を取り入れる換気扇とを含み、
前記記憶部は、前記第１の制御内容として、前記天窓の開閉と前記ガラリの開閉と前記換気扇のオンオフとについての制御内容を記憶する
ことを特徴とする請求項１または２記載の空調管理装置。
【請求項５】
前記建物内の室温を表わす室温情報、および、前記建物外の外気温を表わす外気温情報を取得する情報取得部をさらに備え、
前記実行部は、前記動作モードにおいて、前記室温から前記外気温を差し引いた差分が予め設定された閾値以上ある場合、前記天窓が開状態になるように前記天窓開閉装置を制御する
ことを特徴とする請求項４記載の空調管理装置。
【請求項６】
前記建物内の室温を表わす室温情報、前記建物外の外気温、および、前記建物外の風速を表わす風速情報を取得する情報取得部をさらに備え、
前記実行部は、前記動作モードにおいて、前記室温から前記外気温を差し引いた差分が予め設定された閾値以上かつ前記建物外の風速が設定値以下である場合、前記換気扇を動作させる
ことを特徴とする請求項４記載の空調管理装置。
【請求項７】
前記空調調整手段は、前記建物に設けられたガラリと、前記建物内の所定空間の空調を行う空調機器とを含み、
前記実行部は、前記空調機器がオンの場合に前記ガラリを閉めるように制御し、前記空調機器がオフの場合に前記ガラリを開くように制御する
ことを特徴とする請求項１〜６のいずれか１項に記載の空調管理装置。
【請求項８】
請求項１〜７のいずれか１項に記載の空調管理装置と、
前記空調管理装置の監視対象となる空調調整手段と
を備えることを特徴とする空調システム。
【請求項９】
建物に設けられた空調調整手段を監視して前記建物内の空調を管理するために用いられるコンピュータを、
前記空調調整手段を動作させるための制御内容として、前記建物内の予め決められた特定空間で人が活動していない第１のシーンに対応する第１の制御内容、および、前記特定空間で人が活動している第２のシーンに対応する第２の制御内容を記憶する記憶部、
前記第１のシーンと前記第２のシーンとを択一的に選択する選択部、ならびに、
前記選択部で前記第１のシーンが選択された場合に前記記憶部に記憶されている前記第１の制御内容に従って前記空調調整手段を動作させる動作モードを実行し、前記選択部で前記第２のシーンが選択された場合に前記記憶部に記憶されている前記第２の制御内容を通知部に通知させる通知モードを実行する実行部
として機能させるためのプログラム。
【発明の詳細な説明】
【技術分野】
【０００１】
本発明は、建物内の空調を管理する空調管理装置、空調システムおよびプログラムに関する。
【背景技術】
【０００２】
従来から、室内を冷却する技術が種々開発されている（例えば特許文献１参照）。
【０００３】
特許文献１に記載された技術は、室内の温度と室外の温度とを比較して、外気を取り入れるか否かを判断する。特許文献１に記載された技術では、室内の温度が室外の温度よりも低ければ、外気を取り入れるための開口部が閉じ、内気冷房が動作する。一方、室内の温度が室外の温度よりもが高ければ、内気冷房が停止し、開口部が開き、外気を取り入れることができる。
【先行技術文献】
【特許文献】
【０００４】
【特許文献１】特開２００９−６３２２５号公報
【発明の概要】
【発明が解決しようとする課題】
【０００５】
特許文献１に記載された従来の技術では、上述したように、自動で開口部が閉じて内気冷房が動作したり、開口部が開いて外気を取り入れたりする。
【０００６】
一方、快適な温度および空気質は、人によって、また、時間によって異なる。このため、特許文献１に記載された従来の技術では、在室時も自動で外気を取り入れることによって、不快になることがあった。
【０００７】
本発明は上記の点に鑑みて為された発明であり、本発明の目的は、建物内の特定空間で人が活動しているシーンにおいて、自動制御が原因で空気質および温度が建物内の人にとって不快になるのを防止することができ、かつ、空調を行うためのサポートを建物内の人が受けることができる空調管理装置、空調システムおよびプログラムを提供することにある。
【課題を解決するための手段】
【０００８】
本発明の空調管理装置は、建物に設けられた空調調整手段を監視して前記建物内の空調を管理する空調管理装置であって、前記空調調整手段を動作させるための制御内容として、前記建物内の予め決められた特定空間で人が活動していない第１のシーンに対応する第１の制御内容、および、前記特定空間で人が活動している第２のシーンに対応する第２の制御内容を記憶する記憶部と、前記第１のシーンと前記第２のシーンとを択一的に選択する選択部と、前記選択部で前記第１のシーンが選択された場合に前記記憶部に記憶されている前記第１の制御内容に従って前記空調調整手段を動作させる動作モードを実行し、前記選択部で前記第２のシーンが選択された場合に前記記憶部に記憶されている前記第２の制御内容を通知部に通知させる通知モードを実行する実行部とを備えることを特徴とする。
【０００９】
この空調管理装置において、前記選択部は、前記第１のシーンとして、前記建物内に人が不在である不在シーン、または、前記建物内で人が睡眠している睡眠シーンを選択することが好ましい。
【００１０】
この空調管理装置において、前記空調調整手段は、前記建物に設けられた窓を制御する窓開閉装置と、前記建物内の所定空間の空調を行う空調機器とを含み、前記記憶部は、前記第２の制御内容として、前記窓の開閉と前記空調機器のオンオフとについての制御内容を記憶することが好ましい。
【００１１】
この空調管理装置において、前記空調調整手段は、前記建物に設けられた天窓を制御する天窓開閉装置と、前記建物に設けられたガラリと、前記建物外から前記建物内へ外気を取り入れる換気扇とを含み、前記記憶部は、前記第１の制御内容として、前記天窓の開閉と前記ガラリの開閉と前記換気扇のオンオフとについての制御内容を記憶することが好ましい。
【００１２】
この空調管理装置において、前記建物内の室温を表わす室温情報、および、前記建物外の外気温を表わす外気温情報を取得する情報取得部をさらに備え、前記実行部は、前記動作モードにおいて、前記室温から前記外気温を差し引いた差分が予め設定された閾値以上ある場合、前記天窓が開状態になるように前記天窓開閉装置を制御することが好ましい。
【００１３】
この空調管理装置において、前記建物内の室温を表わす室温情報、前記建物外の外気温、および、前記建物外の風速を表わす風速情報を取得する情報取得部をさらに備え、前記実行部は、前記動作モードにおいて、前記室温から前記外気温を差し引いた差分が予め設定された閾値以上かつ前記建物外の風速が設定値以下である場合、前記換気扇を動作させることが好ましい。
【００１４】
この空調管理装置において、前記空調調整手段は、前記建物に設けられたガラリと、前記建物内の所定空間の空調を行う空調機器とを含み、前記実行部は、前記空調機器がオンの場合に前記ガラリを閉めるように制御し、前記空調機器がオフの場合に前記ガラリを開くように制御することが好ましい。
【００１５】
本発明の空調システムは、前記空調管理装置と、前記空調管理装置の監視対象となる空調調整手段とを備えることを特徴とする。
【００１６】
本発明のプログラムは、建物に設けられた空調調整手段を監視して前記建物内の空調を管理するために用いられるコンピュータを、前記空調調整手段を動作させるための制御内容として、前記建物内の予め決められた特定空間で人が活動していない第１のシーンに対応する第１の制御内容、および、前記特定空間で人が活動している第２のシーンに対応する第２の制御内容を記憶する記憶部、前記第１のシーンと前記第２のシーンとを択一的に選択する選択部、ならびに、前記選択部で前記第１のシーンが選択された場合に前記記憶部に記憶されている前記第１の制御内容に従って前記空調調整手段を動作させる動作モードを実行し、前記選択部で前記第２のシーンが選択された場合に前記記憶部に記憶されている前記第２の制御内容を通知部に通知させる通知モードを実行する実行部として機能させるためのプログラムである。
【発明の効果】
【００１７】
本発明では、例えば不在時など、建物内の特定空間で人が活動していないシーンにおいて、自動制御により空調を理想状態にすることができ、理想の空気質および温度を得ることができる。一方、本発明では、建物内の特定空間で人が活動しているシーンにおいて、自動制御が原因で空気質および温度が建物内人にとって不快になるのを防止することができ、かつ、空調を行うためのサポートを建物内の人が受けることができる。
【図面の簡単な説明】
【００１８】
【図１】実施形態に係る空調システムの構成を示すブロック図である。
【図２】実施形態に係る空調管理装置のモードを示す図である。
【図３】実施形態に係る空調管理装置の動作を示すフローチャートである。
【発明を実施するための形態】
【００１９】
以下の実施形態に係る空調システムにおいて、空調管理装置は、住戸内の特定空間で人が活動している場合、制御内容に従って空調調整手段を制御するのではなく、当該制御内容を通知部に通知させる。
【００２０】
以下、図面を参照しながら、本実施形態に係る空調システムの詳細について説明する。
【００２１】
本実施形態に係る空調システムは、図１に示すように、空調管理装置１と、空調調整手段２とを備えている。また、空調システムは、表示装置３と、風向風速計４と、第１の温湿度計５と、第２の温湿度計６と、入力装置７とをさらに備えている。
【００２２】
以下、空調システムが一般的な戸建住宅に用いられている場合を例として説明するが、当該空調システムは、戸建住宅に限らず、例えば集合住宅の個々の住戸に用いられてもよい。
【００２３】
空調調整手段２は、空調管理装置１の監視対象となる機器群である。空調調整手段２は、複数の開口部制御装置２１と、ガラリ２２と、換気扇２３と、複数の空調機器２４とを備えている。なお、開口部制御装置２１、ガラリ２２、換気扇２３および空調機器２４の各々は、図１の台数には限定されない。
【００２４】
開口部制御装置２１は、住戸に形成された開口部の開閉を制御する装置である。開口部制御装置２１は、例えば窓開閉装置２１１または天窓開閉装置２１２などである。窓開閉装置２１１は、例えば窓ガラスもしくは窓シャッタなどの建具を稼働させることによって、開口部として住戸の外壁に設けられた窓を開閉させる。天窓開閉装置２１２は、天窓ガラスなどの建具を稼働させることによって、開口部として屋根に設けられた天窓を開閉させる。開口部制御装置２１は、空調管理装置１によって制御される。
【００２５】
ガラリ２２は、通気のために住戸の仕切り部材に設けられている。
【００２６】
換気扇２３は、住戸外から住戸内へ外気を取り入れるために住戸に設置されている。
【００２７】
空調機器２４は、住戸内の所定空間（部屋など）に設置されている。空調機器２４は、設置場所である所定空間の空調を行う。
【００２８】
表示装置３は、例えば液晶ディスプレイまたは有機ＥＬ（Electro Luminescence）ディスプレイなどを備え、空調管理装置１から取得した情報を表示する。なお、表示装置３は、例えばテレビまたはインターホン親機などであってもよい。また、表示装置３は、例えば携帯電話、スマートフォンまたはタブレット端末などの可搬型端末装置であってもよい。
【００２９】
風向風速計４は、住戸外に設置されており、住戸外に吹いている風の向き（風向）および速さ（風速）を計測する。
【００３０】
第１の温湿度計５は、住戸外に設置されており、当該住戸外の気温（外気温）と、当該住戸外の湿度（外気湿度）とを計測する。
【００３１】
第２の温湿度計６は、住戸内に設置されており、当該住戸内の気温（室温）と、当該住戸内の湿度（室内湿度）とを計測する。
【００３２】
入力装置７は、例えば住戸内に存在する人（以下「在室者」という）が空調管理装置１への指示を入力する際に用いられる装置である。入力装置７は、例えば在室者の入力操作によって住戸内の設定温度（目標温度）の入力を受け付ける。なお、入力装置７は、設定温度以外の各種指示の入力も受け付けることができる。
【００３３】
続いて、空調管理装置１について説明する。空調管理装置１は、住戸に設けられた空調調整手段２を監視して住戸内の空調を管理する装置である。空調管理装置１は、例えばＣＰＵ（Central Processing Unit：中央処理装置）およびメモリが搭載されたコンピュータ（マイクロコンピュータを含む）を主構成要素とする。空調管理装置１は、情報取得部１１と、設定温度取得部１２と、存在情報取得部１３と、記憶部１４と、演算処理部１５とを備えている。
【００３４】
情報取得部１１は、環境情報（環境データ）を取得する。環境情報（環境データ）は、気象情報（気象データ）と、室内環境情報（室内環境データ）とを含んでいる。気象情報（気象データ）は、風関連情報（風関連データ）と、外気温情報と、外気湿度情報とを含んでいる。風関連情報は、建物外で吹いている風に関する情報であり、当該風の風向および風速を表わす情報を含んでいる。外気温情報は、住戸外の外気温を表わす情報である。外気湿度情報は、住戸外の外気湿度を表わす情報である。室内環境情報は、室温情報と、室内湿度情報とを含んでいる。室温情報は、住戸内の室温を表わす情報である。室内湿度情報は、住戸内の室内湿度を表わす情報である。
【００３５】
情報取得部１１は、風関連情報取得部１１１と、外気温湿度取得部１１２と、室内温湿度取得部１１３とを備えている。
【００３６】
風関連情報取得部１１１は、風向風速計４を接続するためのインタフェース部（図示せず）を備えており、当該インタフェース部に接続されている風向風速計４から、風向風速計４の計測結果を取得する。例えば、風関連情報取得部１１１は、通風状態を設定する切替間隔よりも短い周期で風向風速計４から計測結果を取得する。そして、風関連情報取得部１１１は、前回の通風状態の設定時から当該周期で取得した風向の分布から最も頻度の高い風向を選択する。また、風関連情報取得部１１１は、所定期間の風速の平均値を求める。これにより、風関連情報取得部１１１は、選択した風向と、求めた風速（平均値）とを風関連情報として取得することができる。なお、風関連情報取得部１１１は、有線に限らず、電波を伝送媒体に用いた無線通信によって、風向風速計４から風関連情報を取得してもよい。
【００３７】
外気温湿度取得部１１２は、第１の温湿度計５を接続するためのインタフェース部（図示せず）を備えており、当該インタフェース部に接続されている第１の温湿度計５から、第１の温湿度計５の計測結果を取得する。つまり、外気温湿度取得部１１２は、第１の温湿度計５から外気温と外気湿度とを取得する。なお、外気温湿度取得部１１２は、有線に限らず、電波を伝送媒体に用いた無線通信によって、第１の温湿度計５から外気温と外気湿度とを取得してもよい。
【００３８】
室内温湿度取得部１１３は、第２の温湿度計６を接続するためのインタフェース部（図示せず）を備えており、当該インタフェース部に接続されている第２の温湿度計６から、第２の温湿度計６の計測結果を取得する。つまり、室内温湿度取得部１１３は、第２の温湿度計６から室内環境情報を取得する。なお、室内温湿度取得部１１３は、有線に限らず、電波を伝送媒体に用いた無線通信によって、第２の温湿度計６から室内環境情報を取得してもよい。
【００３９】
設定温度取得部１２は、入力装置７を接続するためのインタフェース部（図示せず）を備えており、当該インタフェース部に接続されている入力装置７から、入力装置７に入力操作された設定温度を取得する。なお、設定温度取得部１２は、有線に限らず、電波を伝送媒体に用いた無線通信によって、入力装置７から設定温度を取得してもよい。
【００４０】
存在情報取得部１３は、住戸内の人が存在しているか否かを表わす存在情報を取得する。存在情報取得部１３は、例えば人感センサの計測結果、機器の稼働データ、生活パターンまたはユーザの入力などに基づいて、存在情報を取得することができる。人感センサは、住戸内において後述の特定空間を含むさまざまな場所に設置されている。
【００４１】
記憶部１４は、気象情報履歴記憶部１４１と、室内環境情報履歴記憶部１４２と、制御ログ記憶部１４３と、制御情報記憶部１４４とを備えている。
【００４２】
気象情報履歴記憶部１４１は、これまでに風関連情報取得部１１１で取得された風関連情報の履歴を格納している。風関連情報取得部１１１が風関連情報を取得するたびに、演算処理部１５の制御によって、当該風関連情報が取得日付および取得時刻に対応付けて気象情報履歴記憶部１４１に書き込まれる。また、気象情報履歴記憶部１４１は、これまでに外気温湿度取得部１１２で取得された外気温および外気湿度の履歴を格納している。外気温湿度取得部１１２が外気温および外気湿度を取得するたびに、演算処理部１５の制御によって、当該外気温および当該外気湿度が取得日付および取得時刻に対応付けて気象情報履歴記憶部１４１に書き込まれる。
【００４３】
室内環境情報履歴記憶部１４２は、これまでに室内温湿度取得部１１３で取得された室内環境情報の履歴を格納している。室内温湿度取得部１１３が室内環境情報を取得するたびに、演算処理部１５の制御によって、当該室内環境情報が取得日付および取得時刻に対応付けて室内環境情報履歴記憶部１４２に書き込まれる。
【００４４】
制御ログ記憶部１４３は、演算処理部１５の制御によって、これまでの空調調整手段２に対する制御内容の履歴すなわち制御ログを格納している。演算処理部１５の空調制御部１５７が空調調整手段２の制御内容に従って空調調整手段２を制御するたびに、演算処理部１５の制御によって、当該制御内容が制御日付および制御時刻に対応付けて制御ログ記憶部１４３に書き込まれる。
【００４５】
制御情報記憶部１４４は、空調調整手段２を動作させるための制御内容と、当該制御内容に従って空調調整手段２を動作させる際の制御条件とを対応付けて記憶している。
【００４６】
制御情報記憶部１４４は、空調調整手段２を動作させるための制御内容として、住戸内の特定空間で人が活動していない第１のシーンに対応する第１の制御内容と、特定空間で人が活動している第２のシーンに対応する第２の制御内容とを記憶している。特定空間は、予め決められた空間である。
【００４７】
本実施形態において、第１のシーンは、住戸内に人が不在である不在シーン、住戸内で人が睡眠している睡眠シーンであり、第２のシーンは、住戸内に人が存在して活動している在宅シーンである。
【００４８】
したがって、制御情報記憶部１４４は、在宅シーンに対応する制御内容と、不在シーンに対応する制御内容と、睡眠シーンに対応する制御内容とを記憶している。
【００４９】
制御情報記憶部１４４は、在宅シーンに対応する制御内容として、窓の開閉と空調機器２４のオンオフとについての制御内容を記憶している。また、制御情報記憶部１４４は、不在シーンに対応する制御内容として、天窓の開閉とガラリ２２の開閉と換気扇２３のオンオフとについての制御内容を記憶している。さらに、制御情報記憶部１４４は、睡眠シーンに対応する制御内容として、天窓の開閉とガラリ２２の開閉と換気扇２３のオンオフと空調機器２４のオンオフとについての制御内容を記憶している。
【００５０】
演算処理部１５は、第１の判定部１５１と、第２の判定部１５２と、第３の判定部１５３と、第４の判定部１５４と、実行部１５６とを備えている。演算処理部１５は、コンピュータに搭載されたＣＰＵを主構成要素とし、各種プログラムを実行することによって、種々の処理を行う。各種プログラムは、記憶部１４に記憶されている。
【００５１】
第１の判定部１５１は、存在情報取得部１３で取得された存在情報を用いて、住戸内に人が存在するか否かを判定する。住戸内のいずれかの空間において人が検出された場合、第１の判定部１５１は、住戸内に人が存在すると判定する。一方、住戸内の全ての空間において人が検出されなかった場合、第１の判定部１５１は、住戸内には人が存在しないと判定する。
【００５２】
第２の判定部１５２は、住戸内に人が存在すると第１の判定部１５１で判定された場合、存在情報取得部１３で取得された存在情報を用いて、住戸内の特定空間で人が活動しているか否かを判定する。例えばリビングなどで人が検出された場合、第２の判定部１５２は、住戸内の特定空間で人が活動していると判定する。一方、寝室のみで人が検出された場合、第２の判定部１５２は、住戸内の特定空間で人が活動していないと判定する。
【００５３】
第３の判定部１５３は、情報取得部１１で取得されて記憶部１４に記憶されている外気温情報および室温情報を記憶部１４から受け取り、室温から外気温を差し引いた差分が第１の閾値よりも大きいか否かを判定する。まず、第３の判定部１５３は、情報取得部１１で取得された室温と外気温とを比較する。そして、第３の判定部１５３は、室温から外気温を差し引いた差分が第１の閾値よりも大きいか否かを判定する。また、第３の判定部１５３は、当該差分が第２の閾値よりも大きいか否かを判定する。さらに、第３の判定部１５３は、当該差分が第３の閾値よりも大きいか否かを判定する。なお、第１の閾値と第２の閾値と第３の閾値とは、それぞれ異なる値であってもよいし、全て同じ値であってもよいし、いずれか２つが同じ値であってもよい。
【００５４】
第４の判定部１５４は、情報取得部１１で取得された風速情報を用いて、風速が第４の閾値以下であるか否かを判定する。
【００５５】
選択部１５５は、存在情報取得部１３で取得された存在情報に基づいて、第１のシーンと第２のシーンとを択一的に選択する。すなわち、選択部１５５は、第１のシーンとして不在シーンまたは睡眠シーンを選択し、第２のシーンとして在宅シーンを選択する。まず、住戸内に人が存在しないと第１の判定部１５１で判定された場合、選択部１５５は、不在シーンを選択する。住戸内の特定空間で人が活動していないと第２の判定部１５２で判定された場合、選択部１５５は、睡眠シーンを選択する。一方、住戸内の特定空間で人が活動していると第２の判定部１５２で判定された場合、選択部１５５は、在宅シーンを選択する。
【００５６】
実行部１５６は、選択部１５５で第１のシーンが選択された場合に動作モードを実行し、選択部１５５で第２のシーンが選択された場合に通知モードを実行する。動作モードは、記憶部１４に記憶されている第１の制御内容に従って空調調整手段２を動作させるモードである。通知モードは、記憶部１４に記憶されている第２の制御内容を表示装置（通知部）３に通知させるモードである。
【００５７】
本実施形態において、通知モードは、在宅シーンに対応する制御内容を表示装置３に通知させる在宅モードであり、動作モードは、不在シーンに対応する制御内容に従って空調調整手段２を動作させる不在モード、睡眠シーンに対応する制御内容に従って空調調整手段２を動作させる睡眠モードである。なお、動作モードは、不在モードおよび睡眠モード以外に、住戸内での人の活動が特定の空間に限定され、その他の空間で人が活動しているシーンであってもよい。
【００５８】
実行部１５６は、空調制御部１５７と、通知制御部１５８とを備えている。本実施形態において、空調制御部１５７は、動作モードとしての不在モードおよび睡眠モードのときに動作し、通知制御部１５８は、通知モードとしての在宅モードのときに動作する。
【００５９】
空調制御部１５７は、記憶部１４に記憶されている制御内容および制御条件に従って、空調調整手段２を制御する。空調調整手段２は、空調制御部１５７の制御に従って稼働する。
【００６０】
本実施形態では、図２に示すように、不在モードと睡眠モードとでは、制御対象となる機器が異なっている。空調制御部１５７は、不在モードにおいて、ガラリ２２と、換気扇２３と、天窓を開閉させる天窓開閉装置２１２とを制御し、睡眠モードにおいて、ガラリ２２と、換気扇２３と、天窓を開閉させる天窓開閉装置２１２と、空調機器２４とを制御する。
【００６１】
空調制御部１５７は、睡眠モードにおいて、室温から外気温を差し引いた差分が第２の閾値より大きいと第３の判定部１５３で判定された場合、天窓が開状態になるように天窓開閉装置２１２を制御し、かつ、空調機器２４をオフにする。一方、当該差分が第２の閾値以下であると第３の判定部１５３で判定された場合、空調制御部１５７は、天窓を閉めるように天窓開閉装置２１２を制御し、かつ、空調機器２４をオンにする。
【００６２】
空調制御部１５７は、睡眠モードにおいて、室温から外気温を差し引いた差分が第３の閾値より大きいと第３の判定部１５３で判定された場合、ガラリ２２を開けるように制御し、かつ、空調機器２４をオフにする。一方、当該差分が第３の閾値以下であると第３の判定部１５３で判定された場合、空調制御部１５７は、ガラリ２２を閉めるように制御し、かつ、空調機器２４をオンにする。
【００６３】
なお、睡眠モードにおいて、制御対象となる空調機器２４は、寝室に設置された空調機器すなわち寝室の空調を行う空調機器である。
【００６４】
また、空調制御部１５７は、不在モードにおいて、室温から外気温を差し引いた差分が第２の閾値より大きいと第３の判定部１５３で判定された場合、天窓を開けるように天窓開閉装置２１２を制御する。一方、当該差分が第２の閾値以下であると第３の判定部１５３で判定された場合、空調制御部１５７は、天窓を閉めるように天窓開閉装置２１２を制御する。
【００６５】
空調制御部１５７は、不在モードにおいて、室温から外気温を差し引いた差分が第３の閾値より大きいと第３の判定部１５３で判定された場合、ガラリ２２を開けるように制御する。一方、当該差分が第３の閾値以下であると第３の判定部１５３で判定された場合、空調制御部１５７は、ガラリ２２を閉めるように制御する。
【００６６】
さらに、空調制御部１５７は、不在モードおよび睡眠モードにおいて、風速が第４の閾値以下であると第４の判定部１５４で判定された場合、換気扇２３を動作させる。
【００６７】
通知制御部１５８は、動作モードにおいて、記憶部１４に記憶されている第２の制御内容を表示装置（通知部）３に通知させる。本実施形態では、図２に示すように、通知制御部１５８は、在宅モードにおいて、窓を開閉させる窓開閉装置２１１と、空調機器２４とについての制御内容を表示装置３に通知させる。表示装置３は、空調調整手段２の制御内容を通知制御部１５８から取得し、当該制御内容を表示（通知）する。
【００６８】
通知制御部１５８は、在宅モードにおいて、室温から外気温を差し引いた差分が第１の閾値より大きいと第３の判定部１５３で判定された場合、窓を開けるように窓開閉装置２１１を制御する制御内容と、空調機器２４をオフにする制御内容とを表示装置３に通知させる。一方、当該差分が第１の閾値以下であると第３の判定部１５３で判定された場合、通知制御部１５８は、窓を閉めるように窓開閉装置２１１を制御する制御内容と、空調機器２４をオンにする制御内容とを表示装置３に通知させる。
【００６９】
なお、在宅モードにおいて、開閉すべき窓は、住戸内における人の存在位置によって異なるから、通知制御部１５８は、開閉すべき窓の場所も制御内容と一緒に表示装置３に通知させる。また、オンオフすべき空調機器２４は、人の場所によって異なるから、通知制御部１５８は、オンオフすべき空調機器２４の場所も制御内容と一緒に表示装置３に通知させる。
【００７０】
なお、記憶部１４は、上述した気象情報の履歴、室内環境情報の履歴、制御ログおよび制御情報に限らず、必要に応じて、各種情報を記憶している。
【００７１】
また、記憶部１４は、空調管理装置（コンピュータ）１が各種機能を実行するためのプログラムを格納している。つまり、記憶部１４は、空調管理装置１を第１の判定部１５１、第２の判定部１５２、第３の判定部１５３、第４の判定部１５４、空調制御部１５７および通知制御部１５８として機能させるためのプログラムを格納している。当該プログラムは、空調管理装置１の出荷時に記憶部１４に予め格納されている。ただし、空調管理装置１が当該プログラムを出荷後に取得する場合、空調管理装置１が当該プログラムを取得する手法の一例としては、当該プログラムを記録したコンピュータ読み取り可能な記録媒体を用いる手法がある。記録媒体を用いる手法の場合、空調管理装置１は、記録媒体のデータを読み取るための読取装置（図示せず）を備えていればよい。記録媒体としては、例えば光ディスクやメモリカードなどがある。読取装置としては、光ディスクの情報を読み出すドライブ装置や、メモリカードの情報を読み出すメモリカードリーダなどがある。また、空調管理装置１が当該プログラムを取得する他の手法としては、ネットワークを用いて当該プログラムを他の装置（例えばサーバ）からダウンロードする手法がある。当該プログラムをダウンロードする手法の場合、空調管理装置１は、ネットワークを用いて当該他の装置と通信するための通信機能を有していればよい。
【００７２】
次に、本実施形態に係る空調管理装置１を用いた空調管理方法について図３を用いて説明する。当該空調管理方法は、空調管理装置１の記憶部１４に格納されているプログラムを実行することによって実現する。
【００７３】
まず、情報取得部１１が環境情報を取得する（Ｓ１）。そして、存在情報取得部１３が存在情報を取得する（Ｓ２）。演算処理部１５において、第１の判定部１５１は、ステップＳ２において取得された存在情報を用いて、住戸内に人が存在するか否かを判定する（Ｓ３）。
【００７４】
住戸内に人が存在する場合（Ｓ３のＹｅｓ）、第２の判定部１５２は、住戸内の特定空間で人が活動しているか否かを判定する（Ｓ４）。特定空間で人が活動している場合（Ｓ４のＹｅｓ）、演算処理部１５は、在宅モードを実行する。まず、第３の判定部１５３は、ステップＳ１において取得された環境情報を用いて、室温から外気温を差し引いた差分が第１の閾値よりも大きいか否かを判定する（Ｓ５）。当該差分が第１の閾値よりも大きい場合（Ｓ５のＹｅｓ）、通知制御部１５８は、窓を開状態にし、空調機器２４をオフにすることを通知するように表示装置３を制御する（Ｓ６）。このとき、通知制御部１５８は、開状態とすべき窓の場所と、オフにすべき空調機器２４の設置場所も通知するように表示装置３を制御する。一方、ステップＳ５において、当該差分が第１の閾値以下である場合（Ｓ５のＮｏ）、通知制御部１５８は、窓を閉状態にし、空調機器２４をオンにすることを通知するように表示装置３を制御する（Ｓ７）。なお、ステップＳ７において、空調制御部１５７が空調機器２４を自動でオンにするか否かは、ユーザが設定できることが好ましい。
【００７５】
ステップＳ４において、特定空間で人が活動していない場合（Ｓ４のＮｏ）、演算処理部１５は、睡眠モードを実行する。まず、第３の判定部１５３は、室温から外気温を差し引いた差分が第２の閾値よりも大きいか否かを判定する（Ｓ８）。当該差分が第２の閾値よりも大きい場合（Ｓ８のＹｅｓ）、空調制御部１５７は、天窓を開状態にし、空調機器２４をオフにするように制御する（Ｓ９）。一方、ステップＳ８において、当該差分が第２の閾値以下である場合（Ｓ８のＮｏ）、空調制御部１５７は、天窓を閉状態にし、空調機器２４をオンにするように制御する（Ｓ１０）。ステップＳ９，Ｓ１０の後、第３の判定部１５３は、室温から外気温を差し引いた差分が第３の閾値よりも大きいか否かを判定する（Ｓ１１）。当該差分が第３の閾値よりも大きい場合（Ｓ１１のＹｅｓ）、空調制御部１５７は、ガラリ２２を開状態にし、空調機器２４をオフにするように制御する（Ｓ１２）。さらに、第４の判定部１５４は、ステップＳ１において取得された環境情報に含まれている風速が第４の閾値以下であるか否かを判定する（Ｓ１３）。風速が第４の閾値以下である場合（Ｓ１３のＹｅｓ）、空調制御部１５７は、換気扇２３をオンにするように制御する（Ｓ１４）。一方、ステップＳ１１において、当該差分が第３の閾値以下である場合（Ｓ１１のＮｏ）、空調制御部１５７は、ガラリ２２を閉状態にし、空調機器２４をオンにするように制御する（Ｓ１５）。なお、ステップＳ９，Ｓ１０とステップＳ１２，Ｓ１５とで空調機器２４のオンオフが繰り返されないように、空調制御部１５７は、ステップＳ１２，Ｓ１５のみにおいて、空調機器２４を制御してもよい。また、ステップＳ１０，Ｓ１５において、空調制御部１５７が空調機器２４を自動でオンにするか否かは、ユーザが設定できることが好ましい。
【００７６】
ステップＳ３において、住戸内に人が存在していない場合（Ｓ３のＮｏ）、演算処理部１５は、不在モードを実行する。まず、第３の判定部１５３は、ステップＳ１において取得された環境情報を用いて、室温から外気温を差し引いた差分が第２の閾値よりも大きいか否かを判定する（Ｓ１６）。当該差分が第２の閾値よりも大きい場合（Ｓ１６のＹｅｓ）、空調制御部１５７は、天窓を開状態にするように制御する（Ｓ１７）。一方、ステップＳ１６において、当該差分が第２の閾値以下である場合（Ｓ１６のＮｏ）、空調制御部１５７は、天窓を閉状態にするように制御する（Ｓ１８）。ステップＳ１７，Ｓ１８の後、第３の判定部１５３は、室温から外気温を差し引いた差分が第３の閾値よりも大きいか否かを判定する（Ｓ１９）。当該差分が第３の閾値よりも大きい場合（Ｓ１９のＹｅｓ）、空調制御部１５７は、ガラリ２２を開状態にするように制御する（Ｓ２０）。一方、ステップＳ１９において、当該差分が第３の閾値以下である場合（Ｓ１９のＮｏ）、空調制御部１５７は、ガラリ２２を閉状態にするように制御する（Ｓ２１）。
【００７７】
以上説明した本実施形態に係る空調システムにおいて、空調管理装置１は、住戸（建物）内の特定空間で人が活動していない第１のシーンに対応する第１の制御内容に従って空調調整手段２を動作させる動作モードを実行し、特定空間で人が活動している第２のシーンに対応する第２の制御内容を通知部としての表示装置３に通知させる通知モードを実行する。これにより、空調管理装置１では、例えば不在時など、住戸（建物）内の特定空間で人が活動していないシーンにおいて、自動制御により空調を理想状態にすることができ、理想の空気質および温度を得ることができる。一方、本実施形態の空調管理装置１では、住戸内の特定空間で人が活動しているシーンにおいて、自動制御が原因で空気質および温度が建物内の人にとって不快になるのを防止することができ、かつ、空調を行うためのサポートを建物内の人が受けることができる。
【００７８】
また、本実施形態に係る空調システムにおいて、空調管理装置１は、動作モードにおいて、室温から外気温を差し引いた差分が閾値以上かつ風速が設定値（第４の閾値）以下である場合、換気扇２３を動作させる。これにより、本実施形態の空調管理装置１では、住戸外から住戸内に風を取り込みにくい状態であっても、換気扇２３によって強制的に風を取り込むことができるので、空気質および温度を改善させることができる。
【００７９】
なお、本実施形態では、情報取得部１１の風関連情報取得部１１１は、風向風速計４から風関連情報を取得しているが、本実施形態の変形例として、風関連情報取得部１１１は、外部装置（図示せず）から風関連情報を取得してもよい。当該外部装置は、例えば風関連情報を定期的に取得して保持するような装置であればよい。
【００８０】
また、本実施形態では、情報取得部１１の外気温湿度取得部１１２は、建物外に設置されている第１の温湿度計５から外気温と外気湿度とを取得しているが、本実施形態の変形例として、外気温湿度取得部１１２は、外部装置（図示せず）から外気温と外気湿度とを取得してもよい。当該外部装置は、例えば外気温と外気湿度とを定期的に取得して保持するような装置であればよい。
【００８１】
さらに、本実施形態では、情報取得部１１の室内温湿度取得部１１３は、建物内に設置されている第２の温湿度計６から室内環境情報を取得しているが、本実施形態の変形例として、室内温湿度取得部１１３は、外部装置（図示せず）から室内環境情報を取得してもよい。当該外部装置は、例えば室内環境情報を定期的に取得して保持するような装置であればよい。
【００８２】
さらに、本実施形態では、空調制御部１５７は、直接、空調調整手段２を制御してもよいし、空調調整手段２を管理する管理装置（図示せず）に制御内容を出力してもよい。当該管理装置は、空調制御部１５７から当該制御内容を取得すると、当該制御内容に従って空調調整手段２を制御する。
【００８３】
なお、本実施形態の変形例として、選択部１５５は、存在情報に応じて、シーンを選択するのではなく、シーンを選択するために入力装置７に行われた操作に基づいて、シーンを選択してもよい。本変形例では、入力装置７は、複数のシーンに一対一に対応する複数のスイッチを備え、各スイッチへの操作を受け付ける。そして、入力装置７においてシーンを選択する操作が行われると、選択部１５５は、操作内容に応じて、シーンを選択する。入力装置７において在宅シーンを選択する操作が行われた場合、選択部１５５は、在宅シーンを選択する。入力装置７において睡眠シーンを選択する操作が行われた場合、選択部１５５は、睡眠シーンを設定する。入力装置７において不在シーンを選択する操作が行われた場合、選択部１５５は、不在シーンを選択する。
【符号の説明】
【００８４】
１  空調管理装置
１１  情報取得部
１４  記憶部
１５５  選択部
１５６  実行部
２  空調調整手段
２１１  窓開閉装置
２１２  天窓開閉装置
２２  ガラリ
２３  換気扇
２４  空調機器
３  表示装置（通知部）
【図１】
2014199153.tif 000003
【図２】
2014199153.tif 000004
【図３】
2014199153.tif 000005